(57)【要約】      （修正有）【課題】積荷の高所まで荷崩れが起こらないように楽に包装できるストレッチフィルム包装機を提供する。【解決手段】出没嵌合可能なパイプの基端部１ｂ、２ｂ側と先端部１ａ、２ａ側が平行な直線状となるように折り返してコ字形に屈曲させた小径の第一の保持体１と大径の第二の保持体２を、基端部の直線状部分１ｄ、２ｄ同士を嵌合させたとき第一の保持体の先端部側の直線状部分１ｃを、第二の保持体の先端部側の直線状部分２ｃよりも長く形成し、第二の保持体の基端部に第一の保持体の基端部側の直線状部分を固定可能とする固定手段８を設け、第一の保持体と第二の保持体の各先端部側の直線状部分１ｃ、２ｃに、両側の止め部材５に挟まれて軸方向の移動が停止されたボビン状のロ−ル支持体３、４を回転可能に配設し、ロ−ル支持体３、４は胴部の両側にストレッチフィルムのロールの芯Ｓを摩擦抵抗で固定可能な外径のつば部３ｃ、４ｃを備える。【選択図】図１
2018070335.tif 000002
【特許請求の範囲】
【請求項１】
出没嵌合可能な大径と小径の２本のパイプの基端部側と先端部側が平行な直線状となるように折り返してコ字形に屈曲させた第一の保持体と第二の保持体を、基端部の直線状部分同士を嵌合させたとき、第一の保持体と第二の保持体のいずれか一方の先端部側の直線状部分を、他方の先端部側の直線状部分よりも長く形成すると共に基端部側の直線状部分を最大限に差し込んだとき第一の保持体と第二の保持体の先端部側の直線状部分同士が当らない長さとし、
第一の保持体と第二の保持体のうち大径側の保持体の基端部に、差し込まれた小径側の保持体の基端部側の直線状部分を押圧して自由な出没位置で固定可能とする固定手段を設け、
第一の保持体と第二の保持体の各先端部側の直線状部分に、両側の止め部材に挟まれて軸方向の移動が停止されたボビン状のロ−ル支持体を回転可能に配設し、該ロ−ル支持体は胴部の両側にストレッチフィルムのロールの芯を摩擦抵抗で固定可能な外径のつば部を備え、
第一の保持体と第二の保持体の折り返し屈曲部に、該屈曲部を待った人の指が前記ロ−ル支持体に装填したストレッチフィルムのロールに届く形状の把持部を形成したことを特徴とするストレッチフィルム包装機。
【請求項２】
固定手段が、第一の保持体と第二の保持体のうち小径側の保持体の直線状部分を偏芯部の回転で締め付ける偏芯締付レバーを備えてなることを特徴とする請求項１に記載のストレッチフィルム包装機。
【請求項３】
止め部材が、第一の保持体と第二の保持体の先端部側の直線状部分に夫々嵌合可能な径の止め環と、該止め環に貫設したネジ孔に直線状部分を締め付ける止めネジを螺着してなることを特徴とする請求項１又は２に記載のストレッチフィルム包装機。
【発明の詳細な説明】
【技術分野】
【０００１】
本発明はダンボール等の積荷の荷崩れを防止するために、ストレッチフィルムを巻いたロールを保持して積荷へのストレッチフィルムの巻き付け作業を行うためのストレッチフィルム包装具に関する。
【背景技術】
【０００２】
ダンボール等の積荷の荷崩れを防止するために帯状のストレッチフィルムを積荷に巻き付ける作業が行われるが、ストレッチフィルムを巻き付けたロールは通常幅が３００〜５００ｍｍ程度あり、長さが約５００ｍのストレッチフィルムでは直径が２００ｍｍ以上にもなるため極めて重く、これを手で持って積荷に巻き付ける作業は重労働となる。このため、ロールを保持して楽に巻き付け作業を行えるようにした器具が提案されている。
例えば、下記特許文献１のロールホルダが提案されているが、このホルダはロールの両端部を支持部材で挟み、バネの力でロールを押さえて保持するものなので、ロールの交換が容易となる利点がある反面、ロールの重量に対応させてバネを強くするとロールの交換をする際に大きな力が必要となり、逆にバネを弱くすると使用中にロールが外れ易くなるという難点がある。又、積荷に巻き付ける際にストレッチフィルムに対して張力を調節することができないので弛んだ状態で巻かれてしまうと荷崩れが発生するおそれがある。更に、異なる幅のストレッチフィルムのロールに対しては、把持部を別の異なった長さのパイプに交換して対応しなければならず、その際のパイプ両側の継手部との連結作業も面倒となる。
【先行技術文献】
【特許文献】
【０００３】
【特許文献１】実用新案登録第３１７８９２２号公報
【発明の概要】
【発明が解決しようとする課題】
【０００４】
本発明は上記問題を解決するために、ダンボール等の積荷の荷崩れ防止のために、ロールに巻かれたストレッチフィルムを積荷に巻きつける際に、そのロールが容易に着脱交換でき、又荷崩れが起こらないようにストレッチフィルムに張力を与えつつ積荷の低い位置から高い位置まで楽に巻き付けることが可能となるストレッチフィルム包装具を提供することを目的とする。
【課題を解決するための手段】
【０００５】
上記目的を達成するため、本発明のストレッチフィルム包装具は、出没嵌合可能な大径と小径の２本のパイプの基端部側と先端部側が平行な直線状となるように折り返してコ字形に屈曲させた第一の保持体と第二の保持体を、基端部の直線状部分同士を嵌合させたとき、第一の保持体と第二の保持体のいずれか一方の先端部側の直線状部分を、他方の先端部側の直線状部分よりも長く形成すると共に基端部側の直線状部分を最大限に差し込んだとき第一の保持体と第二の保持体の先端部側の直線状部分同士が当らない長さとし、第一の保持体と第二の保持体のうち大径側の保持体の基端部に、差し込まれた小径側の保持体の基端部側の直線状部分を押圧して自由な出没位置で固定可能とする固定手段を設け、第一の保持体と第二の保持体の各先端部側の直線状部分に、両側の止め部材に挟まれて軸方向の移動が停止されたボビン状のロ−ル支持体を回転可能に配設し、該ロ−ル支持体は胴部の両側にストレッチフィルムのロールの芯を摩擦抵抗で固定可能な外径のつば部を備え、第一の保持体と第二の保持体の折り返し屈曲部に、該屈曲部を待った人の指が前記ロ−ル支持体に装填したストレッチフィルムのロールに届く形状の把持部を形成したことを特徴とする。
【０００６】
請求項２に記載の発明は、上記発明において、前記固定手段が、第一の保持体と第二の保持体のうち小径側の保持体の直線状部分を偏芯部の回転で締め付ける偏芯締付レバーを備えてなることを特徴とする。
【０００７】
請求項３に記載の発明は、上記発明において、前記止め部材が、第一の保持体と第二の保持体の先端部側の直線状部分に夫々嵌合可能な径の止め環と、該止め環に貫設したネジ孔に直線状部分を締め付ける止めネジを螺着してなることを特徴とする。
【発明の効果】
【０００８】
上記構成の本発明は、以下の効果を奏する。
（１）ストレッチフィルムのロールを交換する際には、同じ径の異なる幅のストレッチフィルムのロールと交換する場合、ストレッチフィルムがなくなったロールを第一と第二の保持体の固定手段の押圧を緩めてストレッチフィルムがなくなったロールの芯から摩擦抵抗に抗して両側に嵌っているロ−ル支持体を抜き出しロールをストレッチフィルム包装具から分離する。次に新しいロールを両側にロ−ル支持体を、第一と第二の保持体の基端部側の直線状部分を没入させつつ差し込んで、ロールを両側からロ−ル支持体が隠れる位置で固定手段により直線状部分を固定する。
このように、第一と第二の保持体の基端部側の直線状部分を出没させることでロールを容易に着脱交換することが可能となる。
【０００９】
（２）ロールの芯の径の異なるロ−ルと交換する場合には、前記第一と第二の保持体の先端部側の直線状部分に対してロ−ル支持体の円滑な軸方向の移動と、先端部からの抜き取り及び差し込みが可能なので、ロールの芯の径が異なるロ−ルへの変更は、差し込まれているロ−ル支持体を別の径のロ−ル支持体に差し替えることで可能となる。
【００１０】
（３）ロ−ル支持体で対応できない小さなサイズの径の芯を備えたロールと交換する場合には、両方のロ−ル支持体を前記第一と第二の保持体の先端部側の直線状部分から抜き取ってしまうことで、先端部側の直線状部分に直接ロールの芯を差し込むことが可能となる。
なお、保持体の先端部側の直線状部分の直径よりも大きな内径の芯を有するロールであれば使用が可能となる。
以上の如くストレッチフィルムが同じ幅でも異なる幅のロールであっても、又ロールの芯が同じ径でも又異なる径であっても容易に着脱交換を行い、使用することが可能となる。
【００１１】
（４）又、装填されたロールは、ボビン状のロ−ル支持体の両側のつば部によって、ロ−ルの芯を一直線上の４箇所により間隔を置いて拘束されるので、たとえ第一と第二の保持体の基端部の直線状部分同士の固定手段による固定状態が緩くなったとしても、ロールは全く外れることなく安定的に保持される。
そして、ストレッチフィルムが安定的に繰り出され、円滑に包装作業を行うことができる。
【００１２】
（５）積荷へのストレッチフィルムの巻き付け作業中においては、第一と第二の保持体の把持部を手で持ち、ストレッチフィルムのロールの端側を指で押すことで、ロールの回転を抑えてストレッチフィルムに張力を与えつつ積荷にしっかりと巻き付けることが可能となる。
このため積荷に巻いたストレッチフィルムの弛みによる荷崩れが防止できる。
【００１３】
（６）そして、積荷の高い位置での巻き付け作業においては、長い方の直線状部分の先端部近くへロ−ル支持体を移動させることでロールの端部から把持部を大きく突出させ、その把持部を持ってロールを高く掲げて高い位置にストレッチフィルムを巻き付けることが可能となる。
【００１４】
（７）又、積荷の低い位置への巻き付け作業においては、上記の如くロールの端部から突出させた把持部を持ってロールを下に向けることで、両手を使ってストレッチフィルムに張力を与えつつ腰を低く落さずに楽に低い位置の巻き付け作業を行うことができる。
そして、高い位置でも低い位置でも、他方の手でロールの下部を押えることでストレッチフィルムに必要な張力を与えつつ巻き付けられる。
即ち、高い位置では踏み台を使用せずに、引くい場所では腰を落さずに、楽にストレッチフィルムをタイトに巻き付けることが可能となる。
【００１５】
請求項２に記載の発明は、第一と第二の保持体の基端部側の直線状部分を偏芯締付レバーの手動操作で固定及び固定解除が可能となる。
このため、ロールの着脱交換が容易に行えるようになる。
又、第一と第二の保持体の基端部側の直線状部分の固定が偏芯締付レバーによって小径側のパイプを締め付けるものなので偏芯部の締付力の調整により、第一と第二の保持体の基端部の直線状部分を人の力でスライド抜き出しは不能とし、回転については可能となるようにすることができ、その場合には回転により、積荷の状態に応じた斜め巻きによる包装が可能となる。
【００１６】
請求項３に記載の発明は、止めネジを指で回すことで止め部材を先端部側の直線状部分に固定及び固定解除が可能となる。
このため、先端部側の直線状部分に装着されたロ−ル支持体の位置の移動や抜き取り作業が素早く簡単に行えるようになる。
【図面の簡単な説明】
【００１７】
【図１】本発明の縦断側面図である。
【図２】（イ）は本発明の斜視図、（ロ）は（イ）の分解した各部の斜視図である。
【図３】長いロールを装填した状態を示す斜視図である。
【図４】短いロールを装填した状態を示す斜視図である。
【図５】ロールの端部から一方の把持部を大きく突出させてロールを装填した状態を示す斜視図である。
【図６】固定部手段と止め部材に蝶ネジを用いた形態を示す要部の縦断側面図である。
【図７】（イ）は積荷上部を巻いている使用状態を示し、（ロ）は積荷中段部を巻いている使用状態を示し、（ハ）は積荷下部を巻いている使用状態を示す各斜視図である。
【図８】積荷の中段部を斜め巻きしている状態を示す斜視図である。
【発明を実施するための形態】
【００１８】
本発明のストレッチフィルム包装機の実施形態を以下図を参照して説明する。
本発明は、図７の（ロ）に示すように、ストレッチフィルムＦのロールＲを保持して段ボール箱等の積荷の包装対象物ＷにストレッチフィルムＦを巻き着けて包装するためのストレッチフィルム包装機である。
図１は本発明の縦断側面図であり、該図１中の一点鎖線は包装に使用するストレッチフィルムＦのロールＲ及び硬質の紙管製の芯Ｓを表している。又、図２の（イ）は本発明の斜視図であり、（ロ）は本発明の各使用部材を分解した状態を示す斜視図である。
【００１９】
本発明は、該図１及び図２に示すように、親指の径程度の直径の２本の出没嵌合可能とする異径のステンレス製のパイプを両側が平行な直線状となるように略中央部で折り返してコ字形に屈曲させた第一の保持体１と第二の保持体２とを備える。
異径のパイプの夫々の径は、両者は殆ど隙間がなく且つ、円滑に出没可能となるように嵌るものを使用する。
例えば、外径を小径側は１３ｍｍとし、大小径側は１６ｍｍとしたステンレス製のパイプが使用できる。
【００２０】
前記第一の保持体１と第二の保持体２は、両基端部１ｂ、２ｂの直線状部分１ｄ、２ｄ同士を嵌合させたとき、両先端部１ａ、２ａ側の直線状部分１ｃ、２ｃは両基端部１ｂ、２ｂの直線状部分１ｄ、２ｄの中心線（図１中のＢ−Ｂ線で示す）と平行な一直線（図１中のＡ−Ａ線で示す）となるように形成する。
そして、図２の（ロ）に示すように、第一の保持体１と第二の保持体２の先端部側の直線状部分１ｃ、２ｃからロ−ル支持体３、４を引き抜けるように該直線状部分１ｃ、２ｃは先端部１ａ、２ａまでをストレートに形成する。
【００２１】
そして、図１に示すように、前記第一の保持体１と第二の保持体２のコ字形に屈曲させた両基端部１ｂ、２ｂの直線状部分１ｄ、２ｄに繋がる屈曲部と、先端部１ａ、２ａ側の直線状部分１ｃ、２ｃに繋がる屈曲部１ｆ、２ｆとの間を部分的にストレートな形状の把持部１ｅ、２ｅを形成する。
なお、前記把持部１ｅ、２ｅは、該把持部１ｅ、２ｅは手で持つ部分なので必ずしもストレートではなく、手で持ち易いように全体を少し湾曲させたものでも良い。
【００２２】
又、前記第一の保持体１と第二の保持体２の先端部側の直線状部分１ｃ、２ｃには、図２に示す如きボビン状のロ−ル支持体３、４を自由回転可能に差し込むが、前記第一の保持体１と第二の保持体２の先端部側の直線状部分１ｃ、２ｃに繋がる屈曲部１ｆ、２ｆの曲率半径は、把持部１ｅ、２ｅを待った人の指が装着したストレッチフィルムＦのロールＲに届くように、把持部１ｅ、２ｅの近くにまでロ−ル支持体３、４が差し込めるように小さく形成し、図１に示すように、把持部１ｅ、２ｅから装填したロールＲ端部までの距離Ｌを１０ｍｍから２０ｍｍ程度に近づけることができるように短くする。
前記把持部１ｅ、２ｅの持ち方は、図７の（ロ）に示すように、人差し指、中指、薬指、小指の４指で把持部１ｅ、２ｅを握り、最も押圧力の大きい親指で前記ロ−ル支持体３、４に固定されたロールＲの両端部側のストレッチフィルムＦ表面を適度に押圧してロールの回転を抑えて持ち、ストレッチフィルムを引き出す際に張力を与える。この張力により積荷へのタイトな巻き付けが可能となる。
【００２３】
そして、前記第一の保持体１と第二の保持体２の基端部１ｂ、２ｂ側の直線状部分１ｄ、２ｄと先端部１ａ、２ａ側の直線状部分１ｃ、２ｃとまでの間隔はストレッチフィルムＦのロールＲの半径以上の長さに手の指の太さを加えた長さよりも大きな間隔に形成する。その間隔が過度に大きいと巻き付けるときの操作性が低下するので最大でも腕が通過する程度の間隔とし、例えば１８０〜２００ｍｍの間隔とすることができる。
このため、ストレッチフィルムＦのロールＲを装填したと際に、前記第一の保持体１と第二の保持体２の基端部１ｂ、２ｂ側の直線状部分１ｄ、２ｄも手で持つことができる。
そして、前記第一の保持体１と第二の保持体２のどちらの径を大径としても良いが、本実施の形態例では第二の保持体２の径を大径とし、第一の保持体１に径を小径とした態様で以下説明する。
【００２４】
この態様では、大径側の前記第二の保持体２の基端部２ｂに差し込んだ小径側の前記第一の保持体１の基端部１ｂ側の直線状部分１ｄが出没可能となるようにし、前記基端部２ｂで連結した第二の保持体２の先端部２ａ側の直線状部分２ｃより第一の保持体１の先端部１ａ側の直線状部分１ｃの方をより長く形成すると共に両者の先端部１ａ、２ａ側の直線状部分１ｃ、２ｃの長さの合計が基端部１ｂ、２ｂの直線状部分１ｄ、２ｄを最大限に差し込んだときに先端部１ａ、２ａ同士が当らない長さとする。
【００２５】
例えば、前記第一の保持体１の基端部１ｂ側の直線状部分１ｄの長さを３８０ｍｍとし、先端部１ａ側の直線状部分１ｃの長さを３６０ｍｍとし、又前記第二の保持体２の基端部２ｂ側は長さを３８０ｍｍとし、先端部２ａ側の直線状部分２ｃの長さを１３６ｍｍとすることができる。
このサイズでは、出没嵌合部分１０に４０ｍｍの幅を割り当てても、両端までが長さ４０３ｍｍ〜７２０ｍｍとなる範囲でスライドが可能となり、殆どの既存の規格幅のロールが装填可能となる。又、基端部１ｂ、２ｂの直線状部分１ｄ、２ｄが最大限に差し込まれた状態でも先端部１ａ、２ａ同士は当らない。
【００２６】
そして、前記第一の保持体１と第二の保持体２の先端部１ａ、２ａ側の直線状部分１ｃ、２ｃに、ロ−ル支持体３、４を夫々フリー回転及び軸方向のスライド移動が可能となるように嵌着する。
該ロ−ル支持体３、４は外周面３ｃ、４ｃでストレッチフィルムＦのロールＲの芯Ｓの内周面を摩擦抵抗で固定可能とする外径のつば部３ｂ、４ｂを胴部３ａ、４ａの両側に有するボビン状のロ−ル支持体３、４を用いる。
該ロ−ル支持体３、４は、例えば、胴部３ａ、４ａが長さ９０ｍｍ、外径４０ｍｍの円筒状で、つば部３ｂ、４ｂが直径８０ｍｍ、厚さ５ｍｍの円板状のボビン状を成すプラスチック製のロ−ル支持体３、４が使用し、前記つば部３ｂ、４ｂの直径はロールの芯Ｓの内径とほぼ等しいものを使用することで、該つば部３ｂ、４ｂの外周面３ｃ、４ｃを紙製の芯Ｓに摩擦抵抗を生じさせつつ差し込めることができるようにする。
このロ−ル支持体３、４の胴部３ａ、４ａの内径は１６.５ｍｍとすることで、小径側１３ｍｍとし大小径側１６ｍｍとしたどちらの金属パイプに対してもフリーに回転及びスライドが可能となる。
【００２７】
両ロール支持体３、４の両側には夫々ロ−ル支持体３、４が軸方向には移動せず、且つ自由に回転可能となるように拘束する止め部材５を設ける。
【００２８】
上記構成の本発明は、図１に示すように、ロ−ル支持体３、４の胴部３ａ、４ａの両側に一体的に形成されたつば部３ｂによって、装填されたロ−ルＲの硬い芯Ｓがその両側でロ−ル支持体３、４の合計４箇所のつば部３ｂの外周面３ｃで間隔を置いて立体的に支持されることで、ロールＲの中心線が両保持体１、２の先端部１ａ、２ａ側の直線状部分１ｃ、２ｃの中心線である一直線上となるように拘束される。
この結果、たとえ第一と第二の保持体１、２の基端部の直線状部分１ｄ、２ｄ同士の固定状態が緩くなっても先端部１ａ、２ａ側の直線状部分１ｃ、２ｃの中心の一直線上を殆ど動かないようにロールＲの芯Ｓが拘束されて、安定的にロールＲが保持されることとなる。
更に、装填されたロールＲはロ−ル支持体３、４で確実に固定されるので巻き付け作業中にロールＲの脱落が起こらず安全に作業が行える。又、ロールの回転中心が両側で安定的に保持されるのでストレッチフィルムＦを安定的に引き出され作業を円滑に行うことができる。
【００２９】
なお、前記第二の保持体２の先端部２ａ側の直線状部分２ｃの長さは、前記ロール支持体４とその両側の止め部材５を嵌着するため、少なくとも前記ロール支持体３の長さと二つの止め部材５の長さを加えた長さが必要となるが、前記ロール支持体４を装着した際に、前記ロール支持体３の端部から直線状部分１ｃの先端部１ａが僅かに突出する長さとしても良い。
【００３０】
又、前記第一の保持体１と第二の保持体２の基端部１ｂ、２ｂ側の直線状部分１ｄ、２ｄが出没可能な出没嵌合部分１０の幅は、例えば、１０ｍｍ程度の長さで嵌合させても前記第一の保持体１と第二の保持体２とが接続可能であるが、接続が不安定となるので４０ｍｍ程度は確保できるようにすると良い。
【００３１】
又、第一の保持体１の先端部１ａ側の直線状部分１ｃは、前記第二の保持体２の先端部２ａ側の直線状部分２ｃの長さより長く形成するが、その長さの限度は、両把持部間を縮めて、両把持部間を間の間隔を最小とした場合、第一の保持体１の先端部１ａが第二の保持体２の先端部２ａに当らない長さとする。
しかし、第一の保持体１の先端部１ａ側の直線状部分１ｃの長さを、第一と第二の保持体の両先端部１ａ、２ａ同士が当る長さよりも長くした場合、交換可能なロールの種類が少なくなり、又、長くし過ぎると出没可能な出没嵌合部分１０の許容幅が小さくなって安定的な接続が困難となってしてしまうおそれがあるので好ましくない。
【００３２】
そして、第二の保持体２の基端部２ｂに前記第一の保持体１の基端部１ｂ側の直線状部分１ｄを押圧して自由な出没位置で固定可能とする固定手段８を設ける。
該固定手段８は、例えば、図６に示すように、第二の保持体２の基端部２ｂにキャップを被せるように、第一の保持体１を締め付けて固定可能とする偏芯部９ａを有する偏芯締付レバー９を被着した形態が可能である。
この形態では、該図６に示すように、前記偏芯部９ａは回転中心からの距離が長い大径部部分と短い小径部分とがなだらかに略円形を描くように連続し、大径部部分の大きさによっての締付け力が決まるので、該偏芯部９ａの大径部部分の径は、人の力で第一の保持体１の基端部１ｂと第二の保持体２の基端部２ｂの両直線状部分１ｄ、２ｄが軸方向のスライド不能且つ人の力で回転可能となる力が得られる最適な径に形成する。
【００３３】
又、前記止め部材５は、図２の（ロ）に示すように、第一と第二の保持体１、２の直線状部分１ｃ、２ｃに遊嵌した金属製の止め環６を外周面から内周面に貫通したネジ孔に、直線状部分１ｃ、２ｃを締め付けて固定可能とする止めネジ７を螺着した形態が可能である。
例えば、前記止め環６は、外径２５ｍｍで長さ１０ｍｍとし、内径は、直径が１３ｍｍの小径側の方に対しては１３．５ｍｍのものを使用し、１６ｍｍの大小径側の方に対しては１６.５ｍｍのものが使用できる。
この形態では、止め環６を前記ロール支持体４の両側に接近させて配し、前記ネジ孔に前記止めネジ７をドライバー等の工具で回転させて締め付けて直線状部分１ｃ、２ｃを固定し、ロール支持体４の自由に回転可能とすると共に軸方向のスライド移動を停止させ、又止めネジ７を緩めることで軸方方向の移動や直線状部分１ｃ、２ｃからの抜き取りが可能となる。
又、例えば、図６に示すように、止めネジ７に蝶ネジを用いると、ロ−ル支持体３、４をスライドさせたいとき指で蝶ネジが回転できるので工具が不要となるので便利である。
【００３４】
（使用方法）
次に本発明は積荷に対して各種の使用方法が可能となるので、それを下記（１）から（６）の項目に分けて説明する。
【００３５】
（１）通常の使用方法
ａ）組み立て
図２の（イ）に示すように、基端部１ｂ、２ｂ側の直線状部分１ｄ、２ｄを嵌合させて連結させた第一と第二の保持体１、２の先端部１ａ、２ａ側の直線状部分１ｃ、２ｃに止め部材５を差し込んで止めネジ７で固定する。そして、該止め部材５に当るように先端部１ａ、２ａ側の直線状部分１ｃ、２ｃにロ−ル支持体３、４を夫々差し込み、続けて止め部材５をロ−ル支持体３、４に当るように差し込んで止めネジ７を固定する。
ｂ）ロールの装填
次に、図３に示すように、ロ−ル支持体３、４をロールの芯Ｓに押し込むように差し込み、基端部１ｂ、２ｂの直線状部分１ｄ、２ｄの出没長さを調節する。
図３に示す長いロールＲと、図４に示す短いロールＲのようにストレッチフィルムＦの幅が異なるロールＲが出没長さの調節によって使用可能となる。
ロ−ル支持体３、４の位置が決まったら基端部１ｂ、２ｂ側の直線状部分１ｄ、２ｄを固定手段８で固定する。
その際、ロ−ル支持体３、４が芯Ｓの端部から没するまで差し込まれるように調節し、固定手段８の偏芯締付レバー９を押えて連結した両基端部１ｂ、２ｂを固定する。
ｃ）積荷の包装
積荷への巻き付けは、ロールＲから引き出したストレッチフィルムＦの先端部を積荷の包装対象物Ｗに挟んで固定し、第一と第二の保持体１、２の両把持部１ｅ、２ｅを夫々左右の手で持ち、図７の（ロ）に示すように、ストレッチフィルムＦを広げて、装填されたロールの両端部側を親指で押え付けつつ包装対象物Ｗとの間に張力を掛けて横向きに引いて行く。
そして、積荷を一回りすると一段の一周が巻き付けられる。これを積荷の高さに応じて数段繰り返す。
終了後、ロールＲから少し引き出したストレッチフィルムＦの切断端部を基端部１ｂ、２ｂの直線状部分１ｄ、２ｄに巻き付けて止めておくと、次に使用する際にストレッチフィルムＦの端部が簡単に引き出せるようになるので便利である。
【００３６】
（２）芯の径が異なるロールへの交換方法
ａ）元のロールの取り外し
固定手段８の偏芯締付レバー９を引いて固定を緩め、両把持部の間隔を広げて元のロ−ルの芯Ｓからロ−ル支持体３、４を抜き取る。
ｂ）ロ−ル支持体の異なる径への差し替え
次に、先端部１ａ、２ａ側の直線状部分１ｃ、２ｃに装着されているロ−ル支持体３、４を、止め部材５を外して、芯の径が異なるロールに対応したつば部３ｂ、４ｂの外周面３ｃ、４が異なる外径のロ−ル支持体３、４に差し替え、ロ−ル支持体３、４の両側に止め部材５を固定する。
ｃ）ロールの装填
新たな異なる径のロールＲの芯Ｓを差し込んで、ロールＲの幅に合わせて出没長さを調節し、固定手段８で連結した両基端部１ｂ、２ｂを固定する。
【００３７】
（３）ストレッチフィルムの幅が異なるロールへの交換方法
ａ）元のロールの取り外し
固定手段８の偏芯締付レバー９を引いて固定を緩め、両把持部の間隔を広げて元のロ−ルの芯Ｓからロ−ル支持体３、４を抜き取る。
次に、該ロ−ル支持体３、４に別のロールＲの芯Ｓを差し込んで、ロールＲの幅に合わせて出没長さを調節し、固定手段８で連結した両基端部１ｂ、２ｂを固定する。
ｂ）ロールの装填
次に、該ロ−ル支持体３、４に別のロールＲの芯Ｓを差し込んで、ロールＲの幅に合わせて出没長さを調節し、固定手段８で連結した両基端部１ｂ、２ｂを固定する。
【００３８】
（４）細い芯のロールの使用方法
ａ）ロールの装填
基端部１ｂ、２ｂの直線状部分１ｄ、２ｄを嵌合させて接続した第一及び第二の保持体２の直線状部分１ｃ、２ｃからロ−ル支持体３、４を両方とも抜き取る。
次に、第一及び第二の保持体２の直線状部分１ｃ、２ｃをロールの芯Ｓに直接差し込み、基端部１ｂ、２ｂの直線状部分１ｄ、２ｄの出没調節をして固定手段８の偏芯締付レバー９を押えて基端部１ｂ、２ｂ側を固定する。
装填されたロールＲの芯Ｓは直線状部分１ｃ、２ｃに緩く嵌るので、ロールは回転フリーとなる。
ｂ）積荷の包装
積荷にストレッチフィルムを巻き付ける作業は、上記方法と同じ方法で行えるが、斜め巻きにするとも可能である。
この場合、積荷の包装対象物Ｗに対して、ボビン状のロ−ル支持体３、４がないので芯Ｓの４箇所固定とはならずにロールが緩く装填される。
このため、図８に示すように、前記第一の保持体１と第二の保持体２の基端部１ｂ、２ｂ側の直線状部分１ｄ、２ｄに対して第一と第二の保持体１、２の先端部側の直線状部分１ｃ、２ｃを回転させることで、前記第一の保持体１と第二の保持体２の基端部１ｂ、２ｂ側の直線状部分１ｄ、２ｄとロールの芯Ｓの中心線とは平行ではなく斜めの状態に設定することが可能となる。
そして、この状態で積荷に形状や積荷の状態に合わせて斜めに巻いて行くことでとタイトな包装が可能となる。
【００３９】
（５）高所の使用方法
ａ）組み立て
第一と第二の保持体１、２の基端部１ｂ、２ｂの直線状部分１ｄ、２ｄを嵌合させて接続し、第一と第二の保持体１、２の先端部側の直線状部分１ｃ、２ｃへ夫々ロ−ル支持体３、４を差し込むが、この際、図５に示すように、長い第一の保持体１の直線状部分１ｃには止め部材５を緩めて、ロ−ル支持体３を屈曲部１ｆから遠ざけた位置移動させてその位置に止め部材５をロ−ル支持体３の両側で固定する。
ｂ）ロールの装填
次に、ロ−ル支持体３、４をロールの芯Ｓに差し込み、基端部１ｂ、２ｂの直線状部分１ｄ、２ｄの出没調節をして固定手段８の偏芯締付レバー９を押えて基端部１ｂ、２ｂ側を固定する。
この結果、図５に示すように、第一の保持体１の把持部１ｅは装填されたロールＲの端部から離れた位置まで引き出されて固定される。
ｃ）積荷の包装
高い位置の積荷へのストレッチフィルムの巻き付け作業は、図７の（イ）に示すように、第一の保持体１を持ち上げて把持部１ｅを片手で握り、他方の手でロールＲを押さえ、図７の（イ）に示すように、ストレッチフィルムＦは最上部の包装対象物Ｗより一部が高くなるようにして、一部が積荷最上部の上面に載り、最上部のコーナー部に掛かるようにストレッチフィルムＦを横方向に引く。その際に親指でロールＲを押え、ストレッチフィルムＦに張力を与えて引くことで、積荷は上方への移動も押えられて全体がしっかりと固定される。
【００４０】
（６）低所の使用方法
ａ）組み立て及びロールの装填
み立て及びロールの装填は、上記高所の同様に行われ、図５に示すように、第一の保持体１の把持部１ｅは装填されたロールＲの端部から離れた位置まで引き出されて固定される。
ｂ）積荷の包装
低い位置の積荷へのストレッチフィルムの巻き付け作業は、第一の保持体１の把持部１ｅを片手で持ち、他方の手でロールを押さえ、図７の（ハ）に示すように、ロールを下方に向けて横方向に引いて行く。
その際に親指でロールＲを押え、ストレッチフィルムに張力を与えて積荷を巻いて行く。
【００４１】
以上種々の使用方法を説明したが、本発明は、上記の如く、使用するストレッチフィルムロールＲのサイズや積荷の状態に応じて多様な使用方法が可能となる。
【産業上の利用可能性】
【００４２】
本発明は、ストレッチフィルム包装機であるが、ストレッチフィルムに換えて幅広テープを包装対象物に巻き付けるのに使用することも可能である。
【符号の説明】
【００４３】
１  第一の保持体
１ａ  先端部
１ｂ  基端部
１ｃ  先端部側の直線状部分
１ｄ  基端部側の直線状部分
１ｅ  把持部
１ｆ  直線状部分に繋がる屈曲部
２  第二の保持体
２ａ  先端部
２ｂ  基端部
２ｃ  先端部側の直線状部分
２ｄ  基端部側の直線状部分
２ｅ  把持部
２ｆ  直線状部分に繋がる屈曲部
３  ロール支持体
３ａ  胴部
３ｂ  つば部
３ｃ  つば部の外周面
４  ロール支持体
４ａ  胴部
４ｂ  つば部
４ｃ  つば部の外周面
５  止め部材
６  止め環
７  止めネジ
８  固定部手段
９  偏芯締付レバー
９ａ  偏芯部
１０  出没嵌合部分
Ｒ  ロール
Ｆ  ストレッチフィルム
Ｓ  芯
Ｗ  包装対象物
【図１】
2018070335.tif 000003
【図２】
2018070335.tif 000004
【図３】
2018070335.tif 000005
【図４】
2018070335.tif 000006
【図５】
2018070335.tif 000007
【図６】
2018070335.tif 000008
【図７】
2018070335.tif 000009
【図８】
2018070335.tif 000010